(57)【要約】  変換回路１は、蛍光灯安定器１０１からの第１信号を、放電ランプ１０２に置き換わる発光ダイオードを有する光回路２のための第２信号に変換する。変換回路１は、第１信号を受信するための少なくとも２つの入力部２１乃至２４、３１及び３２を備える入力段１１と、第２信号を供給するための２つの出力部７１及び７２を備える出力段１３と、入力段１１及び出力部１３を結合するためのリアクティブ段１２とを有する。このような比較的シンプルな変換回路１は、比較的低コスト及び比較的頑丈である。リアクティブ段１２は、リアクティブ回路を有し、一つ以上の第１信号及び第２信号の振幅を減少させる。リアクティブ回路は、一つ以上のインダクタ４１、４２及び／又はコンデンサ４３を有する。変換回路１は、蛍光灯安定器１０１の一部を形成してもよく、光回路２の一部を形成してもよく、又は、蛍光灯安定器１０１を部分的に形成し、光回路２を部分的に形成してもよい。
2015519695.tif 000002
【特許請求の範囲】
【請求項１】
蛍光灯安定器からの第１信号を、整流回路を介して光回路に供給するための第２信号に変換する変換回路であって、前記光回路は、少なくとも一つの発光ダイオードを有し、前記変換回路は、
‐前記第１信号を受信するための少なくとも２つの入力部を備える入力段と、
‐前記第２信号を供給するための２つの出力部を備える出力段と、
‐前記出力段を前記入力段に結合するためのリアクティブ段と、
を有する、変換回路。
【請求項２】
前記リアクティブ段は、一つ以上の前記第１信号及び前記第２信号の振幅を減少させるためのリアクティブ回路を有する、請求項１に記載の変換回路。
【請求項３】
前記リアクティブ回路は、前記入力段の一部及び前記出力段の一部に直列に結合されたインダクタを有する、請求項２に記載の変換回路。
【請求項４】
前記リアクティブ回路は、前記入力段の第１部分及び前記出力段の第１部分に直列に結合された第１インダクタと、前記入力段の第２部分及び前記出力段の第２部分に直列に結合された第２インダクタとを有する、請求項２に記載の変換回路。
【請求項５】
前記リアクティブ回路は、前記入力段及び前記出力段に並列に結合されたコンデンサを有する、請求項２に記載の変換回路。
【請求項６】
前記リアクティブ回路は、前記入力段に並列に結合されたコンデンサを有し、前記入力段の一部及び前記出力段の一部に直列に結合されたインダクタを有する、請求項２に記載の変換回路。
【請求項７】
前記少なくとも２つの入力部は、前記蛍光灯安定器の４つの出力部に結合される４つの入力部を有し、前記４つの入力部の第１入力部及び第２入力部は互いに結合され、前記４つの入力部の第３入力部及び第４入力部は互いに結合される、請求項１に記載の変換回路。
【請求項８】
前記少なくとも２つの入力部は、前記蛍光灯安定器の４つの出力部と結合される４つの入力部を有し、前記４つの入力部の第１入力部及び第２入力部は、第１抵抗及び第２抵抗の直列接続を介して互いに結合され、前記４つの入力部の第３入力部及び第４入力部は、第３抵抗及び第４抵抗の直列接続を介して互いに結合され、前記第１抵抗と前記第２抵抗との間の第１相互接続部と、前記第３抵抗と前記第４抵抗との間の第２相互接続部とは、前記リアクティブ段に結合される、請求項１に記載の変換回路。
【請求項９】
請求項１に記載の前記変換回路を有する蛍光灯安定器。
【請求項１０】
前記リアクティブ段は、一つ以上の前記第１信号及び前記第２信号の振幅を減少させるためのリアクティブ回路を有し、前記リアクティブ回路は、前記入力段の一部及び前記出力段の一部に直列に結合されたインダクタを有し、前記インダクタは、前記蛍光灯安定器の内部に位置付けられるか、又は、前記インダクタの第１部分は、前記蛍光灯安定器の内部に位置付けられ、前記インダクタの第２部分は、前記蛍光灯安定器の外部に位置付けられる、請求項９に記載の蛍光灯安定器。
【請求項１１】
前記リアクティブ段は、一つ以上の前記第１信号及び前記第２信号の振幅を減少させるためのリアクティブ回路を有し、前記リアクティブ回路は、前記入力段の第１部分及び前記出力段の第１部分に直列に結合された第１インダクタと、前記入力段の第２部分及び前記出力段の第２部分に直列に結合された第２インダクタとを有し、前記第１インダクタ及び前記第２インダクタは、前記蛍光灯安定器の内部に位置付けられるか、又は、前記第１インダクタは、前記蛍光灯安定器の内部に位置付けられ、前記第２インダクタは、前記蛍光灯安定器の外部に位置付けられる、請求項９に記載の蛍光灯安定器。
【請求項１２】
請求項１に記載の前記変換回路を有する光回路であって、前記光回路は、少なくとも一つの発光ダイオードを有する、光回路。
【請求項１３】
前記リアクティブ段は、一つ以上の前記第１信号及び前記第２信号の振幅を減少させるためのリアクティブ回路を有し、前記リアクティブ回路は、前記入力段の一部及び前記出力段の一部に直列に結合されたインダクタを有し、前記インダクタは、前記光回路の内部に位置付けられるか、又は、前記インダクタの第１部分は、前記光回路の内部に位置付けられ、前記インダクタの第２部分は、前記光回路の外部に位置付けられる、請求項１２に記載の光回路。
【請求項１４】
前記リアクティブ段は、一つ以上の前記第１信号及び前記第２信号の振幅を減少させるためのリアクティブ回路を有し、前記リアクティブ回路は、前記入力段の第１部分及び前記出力段の第１部分に直列に結合された第１インダクタと、前記入力段の第２部分及び前記出力段の第２部分に直列に結合された第２インダクタとを有し、前記第１インダクタ及び前記第２インダクタは、前記光回路の内部に位置付けられるか、又は、前記第１インダクタは、前記光回路の内部に位置付けられ、前記第２インダクタは、前記光回路の外部に位置付けられる、請求項１２に記載の光回路。
【請求項１５】
放電ランプを少なくとも一つの発光ダイオードを有する光回路で置き換えるための方法であって、前記方法は、蛍光灯安定器と前記光回路との間に請求項１に記載の変換回路を設置するステップを含む、方法。
【発明の詳細な説明】
【技術分野】
【０００１】
本発明は、蛍光灯安定器からの第１信号を、整流回路を介して光回路に供給するための第２信号に変換する変換回路に関する。本発明は、更に、蛍光灯安定器、光回路、及び方法に関する。
【０００２】
このような蛍光灯安定器の例は、自励発振安定器、固定周波数安定器、及びチップ制御安定器である。このような光回路の例は、あらゆる種類及びあらゆる組み合わせの一つ以上の発光ダイオードを有する光回路である。蛍光灯安定器は、放電ランプを給電するようにデザインされる。蛍光灯安定器を置き換えること無く、放電ランプを一つ以上の発光ダイオードを有する光回路で置き換える場合、変換回路は、蛍光灯安定器と光回路との間に導入されるべきである。
【背景技術】
【０００３】
米国特許出願公開第２０１１／０２５４４６５Ａ１号公報は、共振ネットワーク補正回路を備える発光ダイオード駆動回路装置を開示する。この共振ネットワーク補正回路は、４つの入力部及び４つの出力部を有し、２つの整流回路に結合されており、それ故比較的複雑である。
【発明の概要】
【発明が解決しようとする課題】
【０００４】
本発明の目的は、比較的シンプルな改良された変換回路を提供することである。本発明の他の目的は、蛍光灯安定器、光回路、及び方法を提供することである。
【課題を解決するための手段】
【０００５】
第１の態様によれば、蛍光灯安定器からの第１信号を、整流回路を介して光回路に供給するための第２信号に変換する変換回路であって、前記光回路は、少なくとも一つの発光ダイオードを有し、前記変換回路は、
‐第１信号を受信するための少なくとも２つの入力部を備える入力段と、
‐第２信号を供給するための２つの出力部を備える出力段と、
‐出力段を入力段に結合するためのリアクティブ段と、
を有する当該変換回路が提供される。
【０００６】
入力段は、例えば２つ、３つ、又は４つの入力部を有する。２つの出力部を有する出力段を導入したことによって、及び出力段を入力段にリアクティブな態様で結合するだけでよいリアクティブ段を導入したことによって、比較的シンプルな変換回路が作られた。このような比較的シンプルな変換回路は、比較的低コストで比較的頑丈である。
【０００７】
出力段を入力段にリアクティブな態様で結合するリアクティブ段は、入力段と出力段との間にリアクティブな伝達関数を導入する。リアクティブ段は、例えば蛍光灯安定器の共振タンクを離調する、及び／又は、例えば光回路を流れる電流信号の値を設定する。
【０００８】
整流回路は、例えば整流ブリッジに１つのダイオード、２つのダイオード、又は４つのダイオードを有する。整流回路は、変換回路の（出力段の）一部を形成してもよく、この場合、整流回路の入力部は、リアクティブ段に結合されるべきであり、この場合、整流回路の出力部は、変換回路の出力部を形成する。代替的に、整流回路は、変換回路の外部に位置付けられてもよく、この場合、整流回路の入力部は、変換回路の出力部に結合されるべきであり、この場合、整流回路の出力部は、光回路の入力部に結合されるべきである。変換回路の外部に位置付けられるとき、整流回路は、光回路の一部を形成してもよく、又は形成しなくてもよい。
【０００９】
変換回路の実施形態は、一つ以上の第１信号及び第２信号の振幅を減少させるためのリアクティブ回路を有するリアクティブ段によって規定される。第１信号は、例えば蛍光灯安定器を流れる電流であり、第２信号は、例えば光回路を流れる電流である。
【００１０】
変換回路の実施形態は、入力段の一部及び出力段の一部に直列に結合されたインダクタを有するリアクティブ回路によって規定される。入力段の他の部分及び出力段の他の部分は、直接結合されてもよい。インダクタは、光回路を流れる電流だけでなく蛍光灯安定器を流れる電流の振幅も減少させる。
【００１１】
変換回路の実施形態は、入力段の第１部分及び出力段の第１部分に直列に結合された第１インダクタと、入力段の第２部分及び出力段の第２部分に直列に結合された第２インダクタとを有するリアクティブ回路によって規定される。インダクタは、光回路を流れる電流だけでなく蛍光灯安定器を流れる電流の振幅も減少させる。
【００１２】
変換回路の実施形態は、入力段及び出力段に並列に結合されたコンデンサを有するリアクティブ回路によって規定される。コンデンサは、光回路を流れる電流の振幅を減少させる。
【００１３】
変換回路の実施形態は、入力段に並列に結合されたコンデンサを有し、入力段の一部及び出力段の一部に直列に結合されたインダクタを有するリアクティブ回路によって規定される。この実施形態は、先の実施形態の組み合わせである。
【００１４】
変換回路の実施形態は、蛍光灯安定器の４つの出力部に結合されるべき４つの入力部であって、４つの入力部の第１入力部及び第２入力部は、互いに結合され、４つの入力部の第３入力部及び第４入力部は、互いに結合される当該４つの入力部を有する少なくとも２つの入力部によって規定される。（単一ランプの）蛍光灯安定器は、通常、変換回路の４つの入力部に結合されるべき４つの出力部を有する。例えば、自励発振安定器の形をとる蛍光灯安定器に対して、４つの入力部の第１入力部及び第２入力部は、互いに結合されることができ、４つの入力部の第３入力部及び第４入力部は、互いに結合されることができる。代替的に、適応回路が、この蛍光灯安定器と変換回路との間に位置付けられてもよく、適応回路は、４つの入力部の第１入力部と第２入力部との組み合わせ、及び、４つの入力部の第３入力部と第４入力部との組み合わせを行う。結果として、変換回路は、２つの入力部しか持つ必要が無い。
【００１５】
変換回路の実施形態は、蛍光灯安定器の４つの出力部に結合される４つの入力部であって、４つの入力部の第１入力部及び第２入力部は、第１抵抗及び第２抵抗の直列接続を介して互いに結合され、４つの入力部の第３入力部及び第４入力部は、第３抵抗及び第４抵抗の直列接続を介して互いに結合され、第１抵抗と第２抵抗との間の第１相互接続部と、第３抵抗と第４抵抗との間の第２相互接続部とは、リアクティブ段に結合される当該４つの入力部を有する少なくとも２つの入力部によって規定される。（単一ランプの）蛍光灯安定器は、通常、変換回路の４つの入力部に結合される４つの出力部を有する。例えば、チップ制御安定器の形をとる蛍光灯安定器に対して、４つの入力部の第１入力部及び第２入力部は、第１抵抗及び第２抵抗の直列接続を介して互いに結合されることができ、４つの入力部の第３入力部及び第４入力部は、第３抵抗及び第４抵抗の直列接続を介して互いに結合されることができる。代替的に、適応回路が、この蛍光灯安定器と変換回路との間に位置付けられてもよく、適応回路は、４つの抵抗を有し、４つの入力部の第１入力部と第２入力部との組み合わせ、及び、第３入力部と第４入力部との組み合わせを行う。結果として、変換回路は、２つの入力部しか持つ必要が無い。
【００１６】
第２の態様によれば、上で規定された変換回路を有する蛍光灯安定器が提供される。
【００１７】
蛍光灯安定器の実施形態は、一つ以上の第１信号及び第２信号の振幅を減少させるためのリアクティブ回路であって、リアクティブ回路は、入力段の一部及び出力段の一部に直列に結合されたインダクタを有し、インダクタは、蛍光灯安定器の内部に位置付けられる、又は、インダクタの第１部分は、蛍光灯安定器の内部に位置付けられ、インダクタの第２部分は、蛍光灯安定器の外部に位置付けられる当該リアクティブ回路を有するリアクティブ段によって規定される。蛍光灯安定器の外部に位置付けられるとき、インダクタの第２部分は、光回路の内部に位置付けられてもよく、又は位置付けられなくてもよい。
【００１８】
蛍光灯安定器の実施形態は、一つ以上の第１信号及び第２信号の振幅を減少させるためのリアクティブ回路であって、リアクティブ回路は、入力段の第１部分及び出力段の第１部分に直列に結合された第１インダクタと、入力段の第２部分及び出力段の第２部分に直列に結合された第２インダクタとを有し、第１インダクタ及び第２インダクタは、蛍光灯安定器の内部に位置付けられる、又は、第１インダクタは、蛍光灯安定器の内部に位置付けられ、第２インダクタは、蛍光灯安定器の外部に位置付けられる当該リアクティブ回路を有するリアクティブ段によって規定される。蛍光灯安定器の外部に位置付けられるとき、第２インダクタは、光回路の内部に位置付けられてもよく、又は位置付けられなくてもよい。
【００１９】
第３の態様によれば、上に規定される変換回路を有する光回路が提供され、前記光回路は、少なくとも一つの発光ダイオードを有する。
【００２０】
光回路の実施形態は、一つ以上の第１信号及び第２信号の振幅を減少させるためのリアクティブ回路であって、リアクティブ回路は、入力段の一部及び出力段の一部に直列に結合されたインダクタを有し、インダクタは、光回路の内部に位置付けられる、又は、インダクタの第１部分は、光回路の内部に位置付けられ、インダクタの第２部分は、光回路の外部に位置付けられる当該リアクティブ回路を有するリアクティブ段によって規定される。光回路の外部に位置付けられるとき、インダクタの第２部分は、蛍光灯安定器の内部に位置付けられてもよく、又は位置付けられなくてもよい。
【００２１】
光回路の実施形態は、一つ以上の第１信号及び第２信号の振幅を減少させるためのリアクティブ回路であって、リアクティブ回路は、入力段の第１部分及び出力段の第１部分に直列に結合された第１インダクタと、入力段の第２部分及び出力段の第２部分に直列に結合された第２インダクタとを有し、第１インダクタ及び第２インダクタは、光回路の内部に位置付けられる、又は、第１インダクタは、光回路の内部に位置付けられ、第２インダクタは、光回路の外部に位置付けられる当該リアクティブ回路を有するリアクティブ段によって規定される。光回路の外部に位置付けられるとき、第２インダクタは、蛍光灯安定器の内部に位置付けられてもよく、又は位置付けられなくてもよい。
【００２２】
第４の態様によれば、放電ランプを少なくとも一つの発光ダイオードを有する光回路で置き換えるための方法が提供され、前記方法は、蛍光灯安定器と光回路との間に上記に規定された変換回路を設置するステップを含む。
【００２３】
複雑さが軽減されるべきであるという洞察である。基本的なアイデアは、変換回路が、少なくとも２つの入力部を備える入力段と、２つの出力部を備える出力段と、出力段を入力段に結合するためのリアクティブ段とを有するべきであるということである。
【００２４】
比較的シンプルな改良された変換回路を提供する課題は解決された。他の利点は、本変換回路は、比較的低コスト及び比較的頑丈である点である。
【００２５】
本発明のこれら及び他の態様は、以下に説明される実施形態から明らかになり、当該実施形態を参照して解明されるだろう。
【図面の簡単な説明】
【００２６】
【図１】図１は、メイン電源入力部、従来技術の蛍光灯安定器、及び放電ランプを示す。
【図２】図２は、従来技術の蛍光灯安定器をより詳細に示す。
【図３】図３は、蛍光灯安定器、変換回路、及び光回路を別々のモジュールとして示す。
【図４】図４は、蛍光灯安定器及び光回路を別々のモジュールとして示し、蛍光灯安定器は、変換回路を含む。
【図５】図５は、蛍光灯安定器及び光回路を別々のモジュールとして示し、光回路は、変換回路を含む。
【図６】図６は、蛍光灯安定器及び光回路を別々のモジュールとして示し、蛍光灯安定器及び光回路はそれぞれ変換回路の一部を含む。
【図７】図７は、変換回路をより詳細に示す。
【図８】図８は、変換回路の第１の実施形態を示す。
【図９】図９は、変換回路の第２の実施形態を示す。
【図１０】図１０は、変換回路の第３の実施形態を示す。
【図１１】図１１は、電力値対インダクタンス値のグラフを示す。
【発明を実施するための形態】
【００２７】
図１では、メイン電源入力部１００、従来技術の蛍光灯安定器１０１、及び放電ランプ１０２が示される。メイン電源入力部１００の２つの出力部は、蛍光灯安定器１０１の２つの入力部に結合され、蛍光灯安定器１０１の４つの出力部は、放電ランプ１０２の４つの入力部に結合される。
【００２８】
図２では、従来技術の蛍光灯安定器１０１がより詳細に示される。蛍光灯安定器１０１は、例えば電磁誘導フィルタ１１１、整流器１１２、力率改善回路１１３、及び共振タンクを含むハーフブリッジ１１４を有する。
【００２９】
図３では、蛍光灯安定器１０１、変換回路１、及び光回路２が別々のモジュールとして示される。光回路２は、あらゆる種類及びあらゆる組み合わせの一つ以上の発光ダイオードを有する。
【００３０】
図４では、蛍光灯安定器１０１及び光回路２が別々のモジュールとして示され、蛍光灯安定器１０１は、ここでは変換回路１を含む。
【００３１】
図５では、蛍光灯安定器１０１及び光回路２が別々のモジュールとして示され、光回路２は、ここでは変換回路１を含む。
【００３２】
図６では、蛍光灯安定器１０１及び光回路２が別々のモジュールとして示され、蛍光灯安定器１０１及び光回路２はそれぞれ変換回路１の一部を含む。
【００３３】
図７では、変換回路１がより詳細に示される。変換回路１は、入力段１１、リアクティブ段１２、及び出力段１３を含む。ここで、入力段１１は、４つの入力部を有するが、蛍光灯安定器１０１と入力段１１との間に４つの入力部及び２つの出力部を備える適応回路が導入される必要がある場合には、代替的に２つの入力部を有してもよい。図６に示されるように、蛍光灯安定器１０１及び光回路２がそれぞれ変換回路１の一部を含む場合、入力段１１は、蛍光灯安定器１０１の一部を形成してもよく、出力段１３は、光回路２の一部を形成してもよく、リアクティブ段１２は、蛍光灯安定器１０１若しくは光回路２の一部を形成してもよく、又は、リアクティブ段１２の第１部分は、蛍光灯安定器１０１の一部を形成し、リアクティブ段１２の第２部分は、光回路２の一部を形成してもよい。
【００３４】
図８では、変換回路１の第１の実施形態が示される。２つの入力部２１及び２２は、相互接続部３１を作るために互いに結合され、２つの入力部２３及び２４は、相互接続部３２を作るために互いに結合される。相互接続部３１は、第１インダクタ４１を介して、ダイオード５１のアノードと、ダイオード５３のカソードとに結合される。相互接続部３２は、ダイオード５２のアノードと、ダイオード５４のカソードとに結合される。ダイオード５１及び５２のカソードは、出力部７１に結合され、ダイオード５３及び５４のアノードは、出力部７２に結合される。高周波リップル信号をフィルタリングするためのフィルタリングコンデンサ６１は、出力部７１と７２とに結合される。第１インダクタ４１の第１部分は、変換回路１の内部に位置付けられてもよく、第１インダクタ４１の第２部分は、変換回路１の外部、例えば光回路２の内部に位置付けられてもよい。
【００３５】
図７及び図８を見ると、入力部２１乃至２４と、相互接続部３１及び３２とは、例えば入力段１１の一部である。第１インダクタ４１は、例えばリアクティブ段１２の一部である。ダイオード５１乃至５４と、フィルタリングコンデンサ６１と、出力部７１及び７２とは、例えば出力段１３の一部である。第一に、代替的に、互いに結合された入力部２１及び２２と、互いに結合された入力部２３及び２４とは、入力段１１の外部に位置付けられ、不図示の適応回路の一部を形成してもよく、前記入力部２１及び２２に結合された相互接続部３１と、前記入力部２３及び２４に結合された相互接続部３２とが、入力段１１の入力部となってもよい。第二に、代替的に、ダイオード５１乃至５４及び／又はフィルタリングコンデンサ６１は、出力段１３の外部に位置付けられ、出力段１３と光回路２との間の独立したモジュールに位置付けられてもよく、又は光回路２の内部に位置付けられてもよい。
【００３６】
図９では、変換回路１の第２の実施形態が示され、第１の実施形態とは、相互接続部３２と、ダイオード５２及び５４とが、ここでは第２インダクタ４２を介して互いに結合される点のみが異なる。インダクタ４１及び４２はいずれも、誘導的に結合されてもよく、又は結合されなくてもよい。インダクタ４１及び４２はいずれも、変換回路１の内部に位置付けられてもよく、又は、これらのうちの一方は、変換回路１の内部に位置付けられ、もう一方は、変換回路１の外部、例えば光回路２の内部に位置付けられてもよい。
【００３７】
図８及び図９に示される第１の実施形態及び第２の実施形態は、例えば自励発振安定器の形をとる蛍光灯安定器１０１に関係する。この種類の安定器に対しては、蛍光灯安定器の第１出力部及び第２出力部を互いに接続し、蛍光灯安定器の第３出力部及び第４出力部を互いに接続することができる。
【００３８】
図１０では、変換回路１の第３の実施形態が示される。２つの入力部２１及び２２は、相互接続部３１を作るために直列抵抗２５及び２６を介して互いに結合され、２つの入力部２３及び２４は、相互接続部３２を作るために直列抵抗２７及び２８を介して互いに結合される。相互接続部３１及び３２は、コンデンサ４３を介して互いに結合される。相互接続部３１は、ダイオード５１のアノードと、ダイオード５３のカソードとに結合される。相互接続部３２は、ダイオード５２のアノードと、ダイオード５４のカソードとに結合される。ダイオード５１及び５２のカソードは出力部７１に結合され、ダイオード５３及び５４のアノードは出力部７２に結合される。高周波リップル信号をフィルタリングするためのフィルタリングコンデンサ６１は、出力部７１と７２とに結合される。
【００３９】
図７及び図１０を見ると、入力部２１乃至２４と、抵抗２５乃至２８と、相互接続部３１及び３２とは、例えば入力段１１の一部である。コンデンサ４３は、例えばリアクティブ段１２の一部である。ダイオード５１乃至５４と、フィルタリングコンデンサ６１と、出力部７１及び７２とは、例えば出力段１３の一部である。第一に、代替的に、入力部２１乃至２４と、抵抗２５乃至２８とは、入力段１１の外部に位置付けられ、不図示の適応回路の一部を形成してもよく、相互接続部３１及び３２が、入力段１１の入力部となる。第二に、代替的に、ダイオード５１乃至５４及び／又はフィルタリングコンデンサ６１は、出力段１３の外部に位置付けられ、出力段１３と光回路２との間の独立したモジュールに位置付けられてもよく、又は光回路２の内部に位置付けられてもよい。
【００４０】
図１０に示される第３の実施形態は、例えば固定周波数安定器（固定周波数とは、定常状態における周波数である）及びチップ制御安定器の形をとる蛍光灯安定器１０１に関係する。一般的に、安定器の内部にフィラメント加熱トランスを有するこの種類の安定器に対しては、通常、蛍光灯安定器の第１出力部及び第２出力部を互いに接続することはできず、蛍光灯安定器の第３出力部及び第４出力部を互いに接続することはできない。その代わりに、蛍光灯安定器の内部の加熱トランスの過負荷を防止するために、いくつかの抵抗が、蛍光灯安定器の第１出力部と第２出力部との間、及び蛍光灯安定器の第３出力部と第４出力部との間に導入される必要がある。
【００４１】
第１の実施形態及び第２の実施形態のそれぞれの各部分は、第３の実施形態の各部分と組み合わされてもよく、これによってコンデンサ４３は、相互接続部３１及び３２を結合するために使用され、インダクタ４１（４２）は、相互接続部３１（３２）を、ダイオード５１（５２）と、ダイオード５３（５４）とに結合するために使用される。
【００４２】
図１１では、電力（Ｐ）値対インダクタンス（Ｌ）値のグラフが示される。第１インダクタ４１の比較的小さな増加するインダクタンス値に対して、光回路２の減少する電力値が認められる。第１インダクタ４１の比較的大きな増加するインダクタンス値に対して、光回路２の比較的安定した電力値が認められる。
【００４３】
要約すると、変換回路１は、蛍光灯安定器１０１からの第１信号を、放電ランプ１０２に置き換わる発光ダイオードを有する光回路２のための第２信号に変換する。変換回路１は、第１信号を受信するための少なくとも２つの入力部２１乃至２４、３１及び３２を備える入力段１１と、第２信号を供給するための２つの出力部７１及び７２を備える出力段１３と、入力段１１及び出力段１３を結合するためのリアクティブ段１２とを有する。このような比較的シンプルな変換回路１は、比較的低コストで比較的頑丈である。リアクティブ段１２は、リアクティブ回路を有し、一つ以上の第１信号及び第２信号の振幅を減少させる。リアクティブ回路は、一つ以上のインダクタ４１、４２及び／又はコンデンサ４３を有する。変換回路１は、蛍光灯安定器１０１の一部を形成してもよく、光回路２の一部を形成してもよく、又は、部分的に蛍光灯安定器１０１の一部を形成し、部分的に光回路２の一部を形成してもよい。
【００４４】
本発明は、図面及び前述の記載において詳細に図示及び説明されたが、このような図示及び説明は解説的又は例示的であって限定するものではないと見なされるべきである。即ち、本発明は開示された実施形態に限定されるものではない。開示された実施形態に対する他のバリエーションは、当業者により、請求項に係る発明を実施する際に、図面、開示内容、及び添付の請求項の精査から理解され、達成され得る。請求項において「有する(comprising)」なる単語は、他の構成要素又はステップを排除するものではなく、不定冠詞「a」又は「an」は、複数を排除するものではない。特定の手段が相互に異なる従属請求項に引用されているという単なる事実は、これら手段の組み合わせを有利に使用することができないということを示すものではない。請求項における任意の参照符号は、当該範囲を限定するものと解釈されるべきではない。
【図１】
2015519695.tif 000003
【図２】
2015519695.tif 000004
【図３】
2015519695.tif 000005
【図４】
2015519695.tif 000006
【図５】
2015519695.tif 000007
【図６】
2015519695.tif 000008
【図７】
2015519695.tif 000009
【図８】
2015519695.tif 000010
【図９】
2015519695.tif 000011
【図１０】
2015519695.tif 000012
【図１１】
2015519695.tif 000013
【国際調査報告】
2015519695.tif 000014
2015519695.tif 000015
2015519695.tif 000016